【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
シートに後処理を施す第１、第２の後処理部と、
前記第１、第２の後処理部に各々対応してシートを搬送する第１、第２の搬送路とを備えたシート後処理装置において、
前記第１の後処理部で先行シートの後処理が実行されている間に、前記第２の後処理部への第２の搬送路に後続シートを搬送し、前記第２の搬送路内で待機させる
ことを特徴とするシート後処理装置。
【請求項２】
さらに、前記第１、第２の搬送路を連結する共通搬送路を有し、前記後続シートの次のシートを前記第１の後処理部への第１の搬送路へ向けて搬送する際、前記第２の搬送路内で待機している後続シートを前記共通搬送路経由で前記第１の搬送路へ搬送し、前記後続シートの次のシートと重ね合わせて前記第１の後処理部へ搬送する
ことを特徴とする請求項１記載のシート後処理装置。
【請求項３】
前記共通搬送路を経由して前記後続シートを前記第１の搬送路へ搬送する際に前記後続シートを前記第２の搬送路へ搬送した時と逆方向へ搬送する
ことを特徴とする請求項２記載のシート後処理装置。
【請求項４】
前記第１、第２の後処理部によってシートに施す後処理は、綴じ処理、穿孔処理、製本処理および積載処理のうちの少なくとも１つの処理である
ことを特徴とする請求項１乃至３のいずれか１項記載のシート後処理装置。
【請求項５】
シートに画像を形成する画像形成装置本体と、
前記画像形成装置本体により画像形成されたシートに後処理を施すシート後処理装置とを備え、
前記シート後処理装置は、請求項１乃至４のいずれか１項記載のシート後処理装置である
ことを特徴とする画像形成装置。
【請求項６】
前記第２の搬送路に搬入時の前記後続シートの画像形成面と、前記第１の搬送路に搬入時の前記後続シートの次のシートの画像形成面とがシート表裏面において異なる
ことを特徴とする請求項５記載の画像形成装置。
【請求項７】
前記第１、第２の搬送路の上流側に反転部を設け、前記後続シートと、前記後続シートの次のシートとのいずれか一方を前記反転部によって反転させる
ことを特徴とする請求項５または６記載の画像形成装置。
【請求項８】
シートに画像を形成する画像形成装置本体と、
画像形成されたシートに後処理を施す第１、第２の後処理部と、
前記第１、第２の後処理部に各々対応してシートを搬送する第１、第２の搬送路と、
前記第１の後処理部で先行シートに対する後処理が実行されている間に、前記第２の後処理部への第２の搬送路に後続シートを搬送し、前記第２の搬送路内で待機させるように制御するとともに、前記後続シート、および前記後続シートの次のシートへの画像形成順、画像形成位置および反転搬送のうちの少なくとも一つを制御する制御部とを備えた
ことを特徴とする画像形成装置。
【請求項９】
前記第１、第２の搬送路を連結する共通搬送路を備え、
前記後続シートの次のシートを前記第１の搬送路へ向けて搬送する際、前記後続シートを前記第１の後処理部への搬送路に搬送し、前記第１の後処理部への搬送路にて前記後続シートの次のシートと重ね合わせて前記第１の後処理部へ搬送する
ことを特徴とする請求項８記載の画像形成装置。
【請求項１０】
前記複数の搬送路を連結する共通搬送路を備え、
前記制御部は、前記後続シートを前記第２の後処理部への搬送路に搬送し、前記第２の後処理部への搬送路内で停止させた後、前記後続シートの次のシートを前記第１の搬送路へ向けて搬送する際、前記後続シートを前記共通搬送路経由で前記第１の後処理部への搬送路に搬送するように制御する
ことを特徴とする請求項８または９記載の画像形成装置。
【請求項１１】
前記制御部は、前記後続シートと前記後続シートの次のシートとで、それぞれのシートが搬送される後処理部への搬入時の画像形成面が、シート表裏面で異なるように制御する
ことを特徴とする請求項８乃至１０のいずれか１項記載の画像形成装置。
【請求項１２】
前記制御部は、前記後続シートがシート表面に画像形成され、前記後続シートの次のシートがシート裏面に画像形成されるように制御する
ことを特徴とする請求項１１記載の画像形成装置。
【請求項１３】
前記共通搬送路を経由して前記後続シートを前記第１の搬送路へ搬送する際に前記後続シートを前記第２の搬送路へ搬送した時とは逆方向へ搬送する
ことを特徴とする請求項１１記載の画像形成装置。
【請求項１４】
前記制御部は、前記後続シートと前記後続シートの次のシートとで、各々のシートが搬送される後処理部への搬入時のシートの向きを、画像上の先後端で逆にするように制御する
ことを特徴とする請求項８乃至１０のいずれか１項記載の画像形成装置。
【請求項１５】
前記制御部は、前記後続シートと前記後続シートの次のシートとで、各々のシートが搬送される後処理部への搬入時の画像形成の頁順を逆にするように制御する
ことを特徴とする請求項８乃至１０のいずれか１項記載の画像形成装置。
【請求項１６】
前記複数の搬送路の上流側に反転部を設け、前記後続シートと、前記後続シートの次の
シートのいずれか一方を前記反転部で反転させるようにした
ことを特徴とする請求項８乃至１５のいずれか１項記載の画像形成装置。
【請求項１７】
前記複数の後処理部によってシートに施す後処理は、綴じ処理、穿孔処理、製本処理および積載処理のうちの少なくとも１つの処理である
ことを特徴とする請求項８乃至１６のいずれか１項記載の画像形成装置。
【手続補正２】
【補正対象書類名】明細書
【補正対象項目名】００１１
【補正方法】変更
【補正の内容】
【００１１】
上記目的を達成するために、この発明の第１の発明は、
シートに後処理を施す第１、第２の後処理部と、
前記第１、第２の後処理部に各々対応してシートを搬送する第１、第２の搬送路とを備えたシート後処理装置において、
前記第１の後処理部で先行シートの後処理が実行されている間に、前記第２の後処理部への第２の搬送路に後続シートを搬送し、前記第２の搬送路内で待機させる
ことを特徴とするシート後処理装置である。
【手続補正３】
【補正対象書類名】明細書
【補正対象項目名】００１２
【補正方法】変更
【補正の内容】
【００１２】
この発明の第２の発明は、
シートに画像を形成する画像形成装置本体と、
画像形成されたシートに後処理を施す第１、第２の後処理部と、
前記第１、第２の後処理部に各々対応してシートを搬送する第１、第２の搬送路と、
前記第１の後処理部で先行シートに対する後処理が実行されている間に、前記第２の後処理部への第２の搬送路に後続シートを搬送し、前記第２の搬送路内で待機させるように制御するとともに、前記後続シート、および前記後続シートの次のシートへの画像形成順、画像形成位置および反転搬送のうちの少なくとも一つを制御する制御部とを備えた
ことを特徴とする画像形成装置である。
【手続補正４】
【補正対象書類名】明細書
【補正対象項目名】００１３
【補正方法】変更
【補正の内容】
【００１３】
この発明において、前記第１、第２の後処理部のうち、第１の後処理部で先行シートに対する後処理が実行されている間に、前記第１、第２の後処理部のうち、第２の後処理部に対応する第２の搬送路に後続シートを搬送する。第２の後処理部に対応する第２の搬送路は既存の搬送路であり、シートの長さよりも当然長い。このため、第２の後処理部に対応する第２の搬送路にてシートをバッファリングさせるには十分である。よって、バッファパスそのものをシートサイズの大小に合わせて新規に設ける必要がない。
【手続補正５】
【補正対象書類名】明細書
【補正対象項目名】００１４
【補正方法】変更
【補正の内容】
【００１４】
また、制御部は、前記第１の後処理部に対応する第１の搬送路にて前記後続シートを前記次のシートと重ね合わせて前記第１の後処理部へ搬送するように制御する。そして、制御部は前記後続シート、及び前記後続シートの次のシートへの画像形成順、画像形成位置、及び反転搬送のうちの少なくとも一つを制御する。